【手続補正書】
【提出日】平成18年1月23日(2006.1.23)
【手続補正１】
【補正対象書類名】明細書
【補正対象項目名】全文
【補正方法】変更
【補正の内容】
【書類名】      明細書
【発明の名称】  通信装置、携帯電話機および電話機
【特許請求の範囲】
【請求項１】  短縮ダイヤルあるいはワンタッチダイヤルを行うためのダイヤルキーと、発呼キーを備えた通信装置において、
前記ダイヤルキーのキー操作と、次の発呼キーのキー操作の間の時間を測定するキー操作間隔計測手段と、
前記キー操作間隔計測手段の出力値が、予め設定された時間（Ｔｓ）以下の場合には発呼を規制する制御手段と、
を備えたことを特徴とする通信装置。
【請求項２】  短縮ダイヤルを行うためのテンキーと、発呼キーを備えた通信装置において、
前記テンキーを複数回操作したときの該テンキーの操作時間と、最後のテンキーの操作後に前記発呼キーが操作されるまでの操作時間を測定するキー操作間隔計測手段と、
前記キー操作間隔計測手段の出力値が、予め設定された時間（Ｔｓ）以下の場合には発呼を規制する制御手段と、
を備えたことを特徴とする通信装置。
【請求項３】  短縮ダイヤルあるいはワンタッチダイヤルを行うためのダイヤルキーと、発呼キーを備えた通信装置において、
前記ダイヤルキーのキー操作と、次の発呼キーのキー操作の間の時間を測定するキー操作間隔計測手段と、
前記キー操作間隔計測手段の出力値が、予め設定された時間（Ｔｂ）以上の場合には発呼を規制する制御手段と、
を備えたことを特徴とする通信装置。
【請求項４】  短縮ダイヤルあるいはワンタッチダイヤルを行うためのダイヤルキーと、発呼キーを備えた通信装置において、
前記ダイヤルキーのキー操作と、次の発呼キーのキー操作の間の時間を測定するキー操作間隔計測手段と、
前記キー操作間隔計測手段の出力値が、予め設定された時間（Ｔｓ）以下であり、かつ時間（Ｔｂ）以上の場合には発呼を規制する制御手段と、
を備えたことを特徴とする通信装置。
【請求項５】  前記時間（Ｔｓ，Ｔｂ）が任意に設定できることを特徴とする請求項４に記載の通信装置。
【請求項６】  前記ダイヤルキーおよび発呼キーの操作をキーロックするキーロック手段を備え、
前記キーロック手段は、前記制御手段が発呼を規制したとき前記キーをキーロック状態にすることを特徴とする請求項１〜５のいずれか一つに記載の通信装置。
【請求項７】  前記発呼キーの操作をキーロックするキーロック手段を備え、
前記キーロック手段は、前記制御手段が発呼を規制したとき前記キーをキーロック状態にすることを特徴とする請求項１〜５のいずれか一つに記載の通信装置。
【請求項８】  前記キーロック手段は、前記キーをキーロック状態にした後、所定時間（Ｔｆ）経過後に該キーロック状態を解除することを特徴とする請求項６または７に記載の通信装置。
【請求項９】  前記キーロック解除用の時間（Ｔｆ）が任意に設定できることを特徴とする請求項８の通信装置。
【請求項１０】  前記請求項１〜９のいずれか一つに記載の通信装置の各手段を備えたことを特徴とする携帯電話機。
【請求項１１】  前記請求項１〜９のいずれか一つに記載の通信装置の各手段を備えたことを特徴とする電話機。
【発明の詳細な説明】
【０００１】
【発明の属する技術分野】
この発明は、携帯電話機やＰＨＳ、電話機および通信端末等の通信装置に関し、より詳しくは、キーの誤操作等による誤発呼を防止できる通信装置、携帯電話機および電話機に関する。
【０００２】
【従来の技術】
携帯電話機やＰＨＳ、電話機には、ダイヤル番号をテンキーで直接入力することなく、それよりも少ないキー操作で所望のダイヤル番号を発呼する短縮ダイヤルや、ワンタッチダイヤル等の機能を有している。
【０００３】
短縮ダイヤル機能は、短い番号の組み合わせ（例えば０，０１等）と、オフフック（電話）キーの操作でその番号の組み合わせに予め登録してあるダイヤル番号を発呼する。
【０００４】
ワンタッチダイヤル機能は、予めダイヤル番号を登録してあるワンタッチキーとオフフックキーの操作で発呼する。このように、少ないキー操作で発呼することができる場合、携帯電話機等をポケットや鞄の中に入れておくと、外からの外圧等により誤操作が起こり、誤って発呼してしまうという問題がある。これを防止すべく従来技術では、キーロック状態から復帰するキー以外のほとんどのキー操作を無効にするキーロック方式がある（例えば、特許文献１，２参照。）。
【０００５】
【特許文献１】
特開２０００−３２０９８号公報
【特許文献２】
特許第２９３３５１２号公報
【０００６】
【発明が解決しようとする課題】
しかしながら、上記方式ではキーロック状態にする操作が必要であり操作が面倒であった。またキーロック状態にしていると、電話をかける場合にはキーロック状態から復帰させるための操作が必要であり、すばやく電話をかけることができないという不具合がある。またキーロック状態にするためのキー操作や復帰するためのキー操作は、メーカ各社別に異なるため、操作を忘れたり操作できないという不具合もあった。
【０００７】
この発明は、上述した従来技術による問題点を解消するため、誤操作や無意識の操作による発呼を防止できる通信装置、携帯電話機および電話機を提供することを目的とする。
【０００８】
【課題を解決するための手段】
上述した課題を解決し、目的を達成するため、請求項１の発明にかかる通信装置は、短縮ダイヤルあるいはワンタッチダイヤルを行うためのダイヤルキーと、発呼キーを備えた通信装置において、前記ダイヤルキーのキー操作と、次の発呼キーのキー操作の間の時間を測定するキー操作間隔計測手段と、前記キー操作間隔計測手段の出力値が、予め設定された時間（Ｔｓ）以下の場合には発呼を規制する制御手段とを備えたことを特徴とする。
【０００９】
また、請求項２の発明にかかる通信装置は、短縮ダイヤルを行うためのテンキーと、発呼キーを備えた通信装置において、前記テンキーを複数回操作したときの該テンキーの操作時間と、最後のテンキーの操作後に前記発呼キーが操作されるまでの操作時間を測定するキー操作間隔計測手段と、前記キー操作間隔計測手段の出力値が、予め設定された時間（Ｔｓ）以下の場合には発呼を規制する制御手段とを備えたことを特徴とする。
【００１０】
また、請求項３の発明にかかる通信装置は、短縮ダイヤルあるいはワンタッチダイヤルを行うためのダイヤルキーと、発呼キーを備えた通信装置において、前記ダイヤルキーのキー操作と、次の発呼キーのキー操作の間の時間を測定するキー操作間隔計測手段と、前記キー操作間隔計測手段の出力値が、予め設定された時間（Ｔｓ）以下の場合には発呼を規制する制御手段とを備えたことを特徴とする。
【００１１】
また、請求項４の発明にかかる通信装置は、短縮ダイヤルあるいはワンタッチダイヤルを行うためのダイヤルキーと、発呼キーを備えた通信装置において、前記ダイヤルキーのキー操作と、次の発呼キーのキー操作の間の時間を測定するキー操作間隔計測手段と、前記キー操作間隔計測手段の出力値が、予め設定された時間（Ｔｓ）以下であり、かつ時間（Ｔｂ）以上の場合には発呼を規制する制御手段とを備えたことを特徴とする。
【００１２】
また、請求項５の発明にかかる通信装置は、請求項４に記載の発明において、前記時間（Ｔｓ，Ｔｂ）が任意に設定できることを特徴とする。
【００１３】
また、請求項６の発明にかかる通信装置は、請求項１〜５のいずれか一つに記載の発明において、前記ダイヤルキーおよび発呼キーの操作をキーロックするキーロック手段を備え、前記キーロック手段は、前記制御手段が発呼を規制したとき前記キーをキーロック状態にすることを特徴とする。
【００１４】
また、請求項７の発明にかかる通信装置は、請求項１〜５のいずれか一つに記載の発明において、前記発呼キーの操作をキーロックするキーロック手段を備え、前記キーロック手段は、前記制御手段が発呼を規制したとき前記キーをキーロック状態にすることを特徴とする。
【００１５】
また、請求項８の発明にかかる通信装置は、請求項６または７に記載の発明において、前記キーロック手段は、前記キーをキーロック状態にした後、所定時間（Ｔｆ）経過後に該キーロック状態を解除することを特徴とする。
【００１６】
また、請求項９の発明にかかる通信装置は、請求項８に記載の発明において、前記キーロック解除用の時間（Ｔｆ）が任意に設定できることを特徴とする。
【００１７】
また、請求項１０の発明にかかる携帯電話機は、請求項１〜９のいずれか一つに記載された通信装置の各手段を備えたことを特徴とする。
【００１８】
また、請求項１１の発明にかかる電話機は、請求項１〜９のいずれか一つに記載された通信装置の各手段を備えたことを特徴とする。
【００１９】
【発明の実施の形態】
以下に添付図面を参照して、この発明にかかる通信装置、携帯電話機および電話機の好適な実施の形態を詳細に説明する。図１は、この発明の構成を示すブロック図である。電話機等には通話先を指定するためのワンタッチキーおよびテンキーからなるダイヤルキーと、通話開始用の発呼キー（たとえばオフフックキー）が設けられる。
【００２０】
図において、ＣＰＵ（Ｃｅｎｔｒａｌ  Ｐｒｏｓｓｅｓｉｎｇ  Ｕｎｉｔ）１は、この装置あるいはシステム全体を制御する制御手段である。ＦＲＯＭ２（書き換え可能な不揮発性メモリ）には、この装置あるいはシステム全体を制御するためのファームウェアが格納されており、ＣＰＵ１はそのプログラムによって動作する。また、システムの制御上、記憶しておかなくてはならないデータもＦＲＯＭ２に記憶される。
【００２１】
ＳＲＡＭ３（書き換え可能な揮発性メモリ）は、ＣＰＵ１が動作する上で必要なワークエリアが形成され、ＣＰＵ１によってデータの一時記憶装置として使用される。またＦＲＯＭ２への緩衝バッファとしての役割を果たす。
【００２２】
１つのキー操作と、次の１つのキー操作の間の時間を測定するキー操作間隔計測手段４の１例として、キー入力部５に対する最初のキー入力をＣＰＵ１が検出すると時間計測用のタイマーを動作させ、次のキー入力を検出したときのタイマーの値をキー操作間隔計測手段４の出力値とする構成が考えられる。また、ＣＰＵ１が直接介在しないで、キー入力のイベント間の時間がタイマー等によって計測されるようなハードウェアを使用してもよい。
【００２３】
表示部６は、装置の動作内容や設定等を表示する。ここで、本発明は、キー操作間隔計測手段４の出力値が、予め設定されている時間Ｔｓ以下（時間Ｔｓよりも小さい場合）、または、キー操作間隔計測手段４の出力値が、予め設定されている時間Ｔｂ以上（時間Ｔｂよりも大きい場合）には発呼を行わない。
【００２４】
予め設定されている時間Ｔｓ，Ｔｂは、最初から設定されていて変更できない時間であってもよいし、装置の操作で任意に時間を設定できるようにしてもよい。
【００２５】
例えば、１桁の数字とオフフックキーの組み合わせの短縮ダイヤルの場合、通常の使用では数字キー（テンキー）の押し下げからオフフックキーの押し下げまでの時間は０．５秒〜２秒と仮定して、Ｔｓ＝０．３秒，Ｔｂ＝５秒と設定する。このとき、Ｔｓは複数のキーがほとんど同時（時間差はあるが）に押し下げられた場合を、Ｔｂは最初のキー押し下げから次のキー押し下げまで時間がかかった場合を想定している。例えば鞄等の中で外圧によりキーを押し下げられた場合等を想定している。
【００２６】
また、上記キーの誤入力が検出された場合には発呼動作を行わず、さらにキーロック状態へ移行させてもよい。この場合、以降はキーロック状態から復帰するキー操作以外のキー操作を無効にさせる。キーロック状態からの復帰は、予め決められたあるキー操作でもよいし、ある設定された時間後に復帰してもよい。これにより、知らない間にキーロック状態になっていて、復帰操作が必要になるという不具合を解消することができる。その復帰するまでの時間も設定できる。
【００２７】
図２は、本発明による誤操作防止の動作を示すフローチャートである。図示の例は、一桁の番号とオフフックキーの組み合わせでダイヤルする短縮ダイヤル方式の場合を示している。
【００２８】
まず、キー入力部５のテンキーが押されたか判断する（ステップＳ１）。押されるまでは待機するループ（ステップＳ１：Ｎｏ）となる。テンキーが押された後（ステップＳ１：Ｙｅｓ）、オフフックキーが押されたか判断する（ステップＳ２）。押されるまでは待機するループ（ステップＳ２：Ｎｏ）となる。オフフックキーが押されたとき（ステップＳ２：Ｙｅｓ）、時間ＴｓとＴｂを検出する。
【００２９】
まず、テンキーが押されてからオフフックキーが押されるまでの実際の時間が時間Ｔｓ以下であるか判断する（ステップＳ３）。実際の時間が時間Ｔｓ以下であれば（ステップＳ３：Ｙｅｓ）、発呼を行わず終了する。実際の時間が時間Ｔｓを超えているとき（ステップＳ３：Ｎｏ）、次に時間Ｔｂと比較する（ステップＳ４）。実際の時間が時間Ｔｂ以上であれば（ステップＳ４：Ｙｅｓ）、発呼を行わず終了する。実際の時間が時間Ｔｂ以下であるとき（ステップＳ４：Ｎｏ）、発呼を行い（ステップＳ５）、終了する。
【００３０】
上記構成によれば、テンキーが押されてからオフフックキーが押されるまでの実際の時間が、時間Ｔｓ（例えば、０．３秒）以上であり、かつ時間Ｔｂ（例えば、５秒）以下である場合にのみ発呼が行われ、誤操作を防止することができる。
【００３１】
実際には、電話番号を１つ１つテンキーの操作で発呼する場合と、短縮ダイヤル手段とを区別するために、オフフックキーが押された後の動作で、その前のテンキーによる数字の入力が何桁になっているかによって区別する。例えば、２桁の数字の組み合わせで短縮ダイヤル手段を構成する場合、番号入力が３桁以上でオフフックキーが押されると、通常の発呼になる。
【００３２】
また、本発明の通信装置は、短縮ダイヤルキーおよびオフフックキーの操作をキーロックするキーロック手段を備えた構成にもできる。この場合、キーロック手段は、制御手段が発呼を規制したとき短縮ダイヤルキーをキーロック状態にする。また、キーロック手段は、短縮ダイヤルキーをキーロック状態にした後、所定時間（Ｔｆ）経過後に該キーロック状態を解除する構成にもできる。
【００３３】
これにより、誤操作が行われ発呼を行わないときに、さらにキーロック状態にすることにより、より確実に誤操作を防ぐことができるようになる。誤操作が起こったということは、続けて誤操作が起こる可能性が高い状態にあるということであるため、このようなキーロックによる効果が得られるようになる。
【００３４】
本発明の通信装置は、電話機、携帯電話機、ＰＨＳ、通信機能付き携帯端末、ファクシミリ装置等に適用することができ、上記同様の処理を適用することができる。なお、携帯電話機はＰＨＳ、通信機能付き携帯端末を含み、電話はファクシミリ装置を含む。
【００３５】
なお、本実施の形態で説明した誤操作防止にかかる方法は、予め用意されたプログラムを実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【００３６】
【発明の効果】
以上説明したように、この発明によれば、ダイヤルキーの操作時間とこの後のオフフックキーの操作時間を計測することにより、予め定めた時間以下あるいは時間以上のときには、誤操作であるとして発呼を行わないので、誤操作や不用意な状態での発呼を防止できるようになる。これにより、使用形態にとらわれず操作性や携帯性向上等の効果を奏する。
【図面の簡単な説明】
【図１】
この発明の構成を示すブロック図である。
【図２】
本発明による誤操作防止の動作を示すフローチャートである。
【符号の説明】
１  ＣＰＵ
２  ＦＲＯＭ
３  ＳＲＡＭ
４  キー操作間隔計測手段
５  キー入力部
６  表示部